(57)【特許請求の範囲】
【請求項１】
無線通信において実行可能な方法、前記方法は、
周波数の一部を複数の副帯域へと分割すること；
時間の一部を複数のセクタへと分割すること、各セクタは前記分割された副帯域を備える；
前記複数のセクタのうちの１つの中で前記分割された副帯域のうちの１つを禁止副帯域として指定すること；
第１のセクタに対する前記禁止副帯域の位置を割り当てること；
前記複数のセクタのそれぞれについて前記複数の副帯域のうちの１又はそれより多くを禁止されていない副帯域として指定すること；
周波数選択的スケジューリングのために、および／または、周波数ダイバーシティ・スケジューリングのために、１つのセクタの禁止されていない副帯域として前記複数の副帯域のうちの１又はそれより多くを指定すること；及び
前記禁止副帯域を前記禁止されていない副帯域の周波数ホッピングと同期させて、隣接するセクタの禁止副帯域の周波数とは異なる周波数の副帯域に前記禁止副帯域を動的に再配置すること、ここにおいて、前記禁止副帯域は、前記複数のセクタおよび前記複数の副帯域にわたって前記禁止されていない副帯域の周波数ホッピングと同期され、前記禁止副帯域は、前記禁止副帯域が、物理的に固定されずに、時間とともに展開し、そして全周波数帯域に広がるように、前記第１のセクタに引き続く１又はそれより多くのセクタの副帯域にわたり、動的に再配置される、
を具備する、方法。
【請求項２】
前記複数のセクタのうちの１つの中で前記分割された副帯域のうちの１つを禁止副帯域として指定することは、送信出力が与えられず、そして前記禁止副帯域のサイズが変化する副帯域を指定することから成り立つ、請求項１の方法。
【請求項３】
前記複数のセクタのうちの１つの中で前記分割された副帯域のうちの１つを禁止副帯域として指定することは、しきい値より低い送信出力だけが与えられる副帯域を指定することから成り立つ、請求項１の方法。
【請求項４】
前記禁止副帯域を再配置することは、前記引き続くセクタの前記禁止副帯域に対して異なるサイズを使用することを具備する、請求項１の方法。
【請求項５】
無線通信において動作可能な装置、前記装置は、
周波数の一部を複数の副帯域へと分割するための手段；
時間の一部を複数のセクタへと分割するための手段、各セクタは前記分割された副帯域を備える；
前記複数のセクタのうちの１つの中で前記分割された副帯域のうちの１つを禁止副帯域として指定するための手段；
第１のセクタに対する前記禁止副帯域の位置を割り当てるための手段；
前記複数のセクタのそれぞれについて前記複数の副帯域のうちの１又はそれより多くを禁止されていない副帯域として指定するための手段;
周波数選択的スケジューリングのために、および／または、周波数ダイバーシティ・スケジューリングのために、１つのセクタの禁止されていない副帯域として前記複数の副帯域のうちの１又はそれより多くを指定するための手段;及び
前記禁止副帯域を前記禁止されていない副帯域の周波数ホッピングと同期させて、隣接するセクタの禁止副帯域の周波数とは異なる周波数の副帯域に前記禁止副帯域を動的に再配置するための手段、ここにおいて、前記禁止副帯域は、前記複数のセクタおよび前記複数の副帯域にわたって前記禁止されていない副帯域の周波数ホッピングと同期され、前記禁止副帯域は、前記禁止副帯域が、物理的に固定されずに、時間とともに展開し、そして全周波数帯域に広がるように、前記第１のセクタに引き続く１又はそれより多くのセクタの副帯域にわたり、動的に再配置される、
を具備する、装置。
【請求項６】
前記複数のセクタのうちの１つの中で前記分割された副帯域のうちの１つを禁止副帯域として指定するための手段は、送信出力が与えられない副帯域を指定するための手段を具備する、請求項５の装置。
【請求項７】
前記複数のセクタのうちの１つの中で前記分割された副帯域のうちの１つを禁止副帯域として指定するための手段は、しきい値より低い送信出力だけが与えられる副帯域を指定するための手段を具備する、請求項５の装置。
【請求項８】
前記禁止副帯域のサイズは、セクタ毎に変化する、請求項５の装置。
【請求項９】
コンピュータ読取り可能な記憶媒体、前記コンピュータ読取り可能な記憶媒体は、
周波数の一部を複数の副帯域へと分割するためのコード；
時間の一部を複数のセクタへと分割するためのコード、各セクタは前記分割された副帯域を備える；
前記複数のセクタのうちの１つの中で前記分割された副帯域のうちの１つを禁止副帯域として指定するためのコード；
第１のセクタに対する前記禁止副帯域の位置を割り当てるためのコード；
前記複数のセクタのそれぞれについて前記複数の副帯域のうちの１又はそれより多くを禁止されていない副帯域として指定するためのコード；
周波数選択的スケジューリングのために、および／または、周波数ダイバーシティ・スケジューリングのために、１つのセクタの禁止されていない副帯域として前記複数の副帯域のうちの１又はそれより多くを指定するためのコード；及び
前記禁止副帯域を前記禁止されていない副帯域の周波数ホッピングと同期させて、隣接するセクタの禁止副帯域の周波数とは異なる周波数の副帯域に前記禁止副帯域を動的に再配置するためのコード、ここにおいて、前記禁止副帯域は、前記複数のセクタおよび前記複数の副帯域にわたって前記禁止されていない副帯域の周波数ホッピングと同期され、前記禁止副帯域は、前記禁止副帯域が、物理的に固定されずに、時間とともに展開し、そして全周波数帯域に広がるように、前記第１のセクタに引き続く１又はそれより多くのセクタの副帯域にわたり、動的に再配置される、
を具備する、コンピュータ読取り可能な記憶媒体。
【請求項１０】
前記禁止副帯域のサイズは、前記引き続くセクタとは異なる、請求項９のコンピュータ読取り可能な記憶媒体。
【請求項１１】
無線通信システムにおける周波数と時間の送信パターンを生成するための装置、前記装置は、
周波数の一部を複数の副帯域へと分割するように；
各セクタが前記分割された副帯域を備える複数のセクタへと、時間の一部を分割するように；
前記複数のセクタのうちの１つの中で前記分割された副帯域のうちの１つを禁止副帯域として指定するように；
第１のセクタに対する前記禁止副帯域の位置を割り当てるように；
前記複数のセクタのそれぞれについて前記複数の副帯域のうちの１又はそれより多くを禁止されていない副帯域として指定するように；
周波数選択的スケジューリングのために、および／または、周波数ダイバーシティ・スケジューリングのために、１つのセクタの禁止されていない副帯域として前記複数の副帯域のうちの１又はそれより多くを指定するように；及び
前記禁止副帯域を前記禁止されていない副帯域の周波数ホッピングと同期させて、隣接するセクタの禁止副帯域の周波数とは異なる周波数の副帯域に前記禁止副帯域を動的に再配置するように、ここにおいて、前記禁止副帯域は、前記複数のセクタおよび前記複数の副帯域にわたって前記禁止されていない副帯域の周波数ホッピングと同期され、前記禁止副帯域は、前記禁止副帯域が、物理的に固定されずに、時間とともに展開し、そして全周波数帯域に広がるように、前記第１のセクタに引き続く１又はそれより多くのセクタの副帯域にわたり、動的に再配置される、
構成された少なくとも１つのプロセッサ、
を具備する、装置。
【発明の詳細な説明】
【技術分野】
【０００１】
下記の記載は、一般に無線通信に係わり、そして特に、送信パターンを使用してデータを受信しそして送信するために、部分周波数再利用のための機構を提供することに関する。
【０００２】
［関連出願の相互参照］
本発明は、２００７年２月８日に出願された、米国特許仮出願番号第６０／８８８，８９０号、名称「ＦＦＲを用いる周波数ホッピングのための方法及び装置（A Method and Apparatus for Frequency Hopping with FFR）」に優先権を主張する。上記の出願の全体は、引用により本明細書中に取り込まれている。
【背景技術】
【０００３】
無線通信システムは、広く展開されており、例えば、音声、データ、等のような様々なタイプの通信コンテントを提供する。典型的な無線通信システムは、利用可能なシステム・リソース（例えば、帯域幅、送信出力、．．．）を分け合うことにより複数のユーザとの通信をサポートすることが可能な多元接続システムであり得る。そのような多元接続システムの例は、符号分割多元接続（ＣＤＭＡ：code division multiple access）システム、時分割多元接続（ＴＤＭＡ：time division multiple access）システム、周波数分割多元接続（ＦＤＭＡ：frequency division multiple access）システム、３ＧＰＰ  ＬＴＥシステム、直交周波数分割多重化（ＯＦＤＭ：orthogonal frequency division multiplexing）、局所周波数分割多重化（ＬＦＤＭ：localized frequency division multiplexing）、直交周波数分割多元接続（ＯＦＤＭＡ：orthogonal frequency division multiple access）システム、及びその他を、含むことができる。
【０００４】
ある無線通信システムでは、ノードＢ（すなわち、基地局）は、ダウンリンクにおいてユーザ装置（ＵＥ：user equipment）へデータを送信することができる、及び／又はアップリンクにおいてＵＥからデータを受信することができる。ダウンリンク（すなわち、順方向リンク）は、ノードＢからＵＥへの通信リンクを呼び、そしてアップリンク（すなわち、逆方向リンク）は、ＵＥからノードＢへの通信リンクを呼ぶ。ノードＢは、しかも、ＵＥへ制御情報（例えば、システム・リソースの割り当て）を送ることができる。同様に、ＵＥは、ダウンリンクにおけるデータ送信をサポートするために及び／又は別の目的のために、ノードＢへ制御情報を送ることができる。
【０００５】
最新システムにおいては、ハイブリッド自動再送信（ＨＡＲＱ：hybrid automatic retransmission）プロセスが、データ送信（例えば、データ・パケット又はデータ割り当てパケット）の信頼性を向上させるために採用される。ＨＡＲＱプロセスを使用するシステムにおいては、送信機は、受信機へデータ・パケットを送信し、そして受信機は、応答で受領通知（そのデータ・パケットが良好に処理される場合にはＡＣＫ、又はそのデータ・パケットが良好に処理されない場合にはＮＡＫ）を送信する。送信機がデータ・パケットを送信した後で、送信機は、データ・パケットを自動的に再送信する前に、時間の事前設定期間のあいだＡＣＫ／ＮＡＫの受信を待機する。タイマが時間切れになる前に、受信機がＡＣＫを受信する場合には、送信機は、ＨＡＲＱプロセスを終了させ、そしてもし何かある場合には別のものを開始する。送信機がＮＡＫを受信する場合、又はタイマが時間切れになる場合には、送信機はもう１つのＨＡＲＱプロセスをセットアップし、そしてデータ・パケットを再送信する。しかしながら、ＡＣＫが受信機により送信されたが、送信機がそれを処理できなかった場合、又は時間切れになる前にＡＣＫを受信しなかった場合、又はＡＣＫ／ＮＡＫ送信が信頼できない場合には、送信機はもう１つのＨＡＲＱプロセスをセットアップし、そしてデータ・パケットを再送信する。これは、非常に非効率的であり、そしてデータの配信における遅延を生じさせる。それゆえ、ＡＣＫ／ＮＡＫ繰り返し方式を使用して、システム性能を向上させるためにＡＣＫ／ＮＡＫを送信する頻度及び時間の効率的な送信パターンを使用して、ＡＣＫ／ＮＡＫ送信の信頼性を向上させることが望ましい。
【発明の概要】
【０００６】
下記のものは、複数の実施形態の基本的な理解を提供するために、１又はそれより多くの実施形態の単純化したサマリを与える。このサマリは、全ての考え得る実施形態の広範囲にわたる概観ではなく、そして全ての実施形態の鍵となる要素又は重大な要素を識別するように意図されていないだけでなく、いずれかの又は全ての実施形態の範囲を線引きするようにも意図されていない。その唯１つの目的は、後で与えられるより詳細な説明への前置きとして単純化した形式で１又はそれより多くの実施形態の複数の概念を与えることである。
【０００７】
１態様によれば、無線通信システムのための方法は、周波数の一部を複数の副帯域へと分割すること、時間の一部を複数のセクタへと分割すること、各セクタは前記分割された副帯域を備える、前記セクタのうちの１つの中で前記分割された副帯域のうちの１つを禁止副帯域として指定すること、及び禁止副帯域として前記指定された副帯域の位置を割り当てること、を具備する。
【０００８】
無線通信において動作可能な装置に関連する態様であって、前記装置は、周波数の一部を複数の副帯域へと分割するための手段；時間の一部を複数のセクタへと分割するための手段、各セクタは前記分割された副帯域を備える；前記セクタのうちの１つの中で前記分割された副帯域のうちの１つを禁止副帯域として指定するための手段；及び禁止副帯域として前記指定された副帯域の位置を割り当てるための手段、を具備する。
【０００９】
コンピュータ・プログラム製品に関連する別の１つの態様は、周波数の一部を複数の副帯域へと分割するためのコード；時間の一部を複数のセクタへと分割するためのコード、各セクタは前記分割された副帯域を備える；前記セクタのうちの１つの中で前記分割された副帯域のうちの１つを禁止副帯域として指定するためのコード；及び禁止副帯域として前記指定された副帯域の位置を割り当てるためのコード、を具備するコンピュータ読取り可能な媒体、を具備する。
【００１０】
さらに別の態様は、無線通信において動作可能な装置を提供し、前記装置は、周波数の一部を複数の副帯域へと分割するように；各セクタが前記分割された副帯域を備える複数のセクタへと、時間の一部を分割するように；前記セクタのうちの１つの中で前記分割された副帯域のうちの１つを禁止副帯域として指定するように；及び禁止副帯域として指定された副帯域の位置を割り当てるように、構成された少なくとも１つのプロセッサ、を具備する。
【００１１】
上記の目的及び関連する目的を実現するために、１又はそれより多くの実施形態は、以降に十分に説明されそして特許請求の範囲において特に指摘される特徴を備える。下記の説明及び添付された図面は、１又はそれより多くの実施形態のある例示的な態様を詳細に説明する。しかしながら、これらの態様は、様々な実施形態の原理が採用されることができる様々な方法のいくつかだけを示し、そして説明された実施形態は、全てのそのような態様及びそれらと等価なものを含むように意図されている。
【図面の簡単な説明】
【００１２】
【図１】本明細書中に説明される様々な態様にしたがった無線通信システムを例示する。
【図２】無線通信環境で利用するための一例の通信装置を図示する。
【図３】具体例の周波数パターンを図示する。
【図４】ＦＳＳ及びＦＤＳを備えるＦＤＭＡに基づくシステムの一例を例示する。
【図５】複数のＨ−ＡＲＱプロセスにわたる周波数ホッピングを例示する。
【図６】Ｈ−ＡＲＱプロセスのための周波数ホッピング・パターンを例示する。
【図７】周波数ホッピング・パターンを生成するための見本の方法を例示する。
【図８】通信ネットワークへのフィードバックを与えることが可能な具体例のアクセス端末を図示する。
【図９】本明細書中に開示された無線ネットワーキング環境とともに利用されることが可能な具体例の基地局を例示する。
【図１０】１実施形態にしたがった多元接続無線通信システムを例示する。
【図１１】１又はそれより多くの態様にしたがった周波数ホッピング・パターンを生成することを容易にする具体例のシステムを図示する。
【詳細な説明】
【００１３】
様々な態様が、図面を参照してここに説明され、図面では類似の参照番号は、全体を通して類似の要素を参照するように使用される。下記の記述では、説明の目的のために、複数の具体的な詳細が、１又はそれより多くの態様の十分な理解を提供するために説明される。しかしながら、そのような（複数の）態様が、これらの具体的な詳細がなくとも実行され得ることは、明白である。別の例では、周知の構造及びデバイスは、１又はそれより多くの態様を説明することを容易にするためにブロック図形式で示される。
【００１４】
それに加えて、本発明の様々な態様が、下記に記述される。本明細書における教示が多種多様な形式で具体化され得ること、そして本明細書中に開示されたいずれかの特定の構造及び／又は機能が単に見本であることは、明らかであるはずである。本明細書中の教示に基づいて、本明細書中に開示された態様がいずれかの別の態様とは独立してインプリメントされ（implemented）得ること、そしてこれらの態様のうちの２又はそれより多くが様々な方法で統合され得ることを、当業者は、認識するはずである。例えば、本明細書中に説明された任意の数の態様を使用して、装置は実装されることができ、そして／又は方法は実行されることができる。それに加えて、本明細書中に説明された１又はそれより多くの態様に加えて、又はそれらの他の別の構造及び／又は機能を使用して、装置は実装されることができ、そして／又は方法は実行されることができる。一例として、本明細書中に記載される複数の方法、デバイス、システム及び装置の多くは、直交システムにおいて繰り返しＡＣＫチャネルを提供する特別の（ad-hoc）又は計画されていない／部分的に計画され展開された無線通信環境の状況において記述される。類似の技術が別の通信環境に適用し得ることを、当業者は認識するはずである。
【００１５】
この明細書において使用されるように、用語“コンポーネント”、“システム”及びその他は、コンピュータ関連エンティティ、ハードウェア、ソフトウェア、実行中のソフトウェア、ファームウェア、ミドルウェア、及び／又はこれらのいずれかの組み合わせ、のいずれかを呼ぶように意図される。例えば、コンポーネントは、プロセッサ上でランされているプロセス、プロセッサ、オブジェクト、実行可能なもの、実行のスレッド、プログラム、及び／又はコンピュータであり得るが、これらに限定されない。１又はそれより多くのコンポーネントは、プロセス及び／又は実行のスレッドの中に常駐することができ、そしてコンポーネントは、１つのコンピュータ上に局在化されることができる、及び／又は、２又はそれより多くのコンピュータの間に分散されることができる。しかも、これらのコンポーネントは、コンピュータ読取り可能な媒体上に記憶された様々なデータ構造を有する様々なコンピュータ読取り可能な媒体から実行されることが可能である。複数のコンポーネントは、ローカル・プロセス及び／又は遠隔プロセスにより通信することができ、そのプロセスは、例えば、１又はそれより多くのデータ・パケット（例えば、ローカル・システム、分散型システム中の別のコンポーネントと、及び／又は信号により別のシステムとインターネットのようなネットワークをわたり情報交換する１つのコンポーネントからのデータ）を有する信号にしたがう。それに加えて、本明細書中に記述されるシステムのコンポーネントは、それ（追加のコンポーネント）に関して記述される、様々な態様、ゴール、利点、等、を実現することを容易にするために、再配置されることができるそして／又は追加のコンポーネントにより補充されることができ、当業者により認識されるように、与えられた図面に説明される詳細な構成に限定されない。
【００１６】
その上、様々な態様が加入者局に関連して本明細書中に記述される。加入者局は、しかも、システム、加入者ユニット、移動局、モービル、遠隔局、遠隔端末、アクセス端末、ユーザ端末、ユーザ・エージェント、ユーザ・デバイス、又はユーザ装置とも呼ばれることができる。加入者局は、セルラ電話機、コードレス電話機、セッション・イニシエーション・プロトコル（ＳＩＰ：session initiation protocol）電話、無線ローカル・ループ（ＷＬＬ：wireless local loop）局、個人ディジタル補助装置（ＰＤＡ：personal digital assistant）、無線接続能力を有する手持ちデバイス、若しくは無線モデム又は処理デバイスとの無線通信を容易にする類似の機構に接続された他の処理デバイス、であり得る。
【００１７】
さらに、本明細書中に記述された様々な態様又は構成は、方法、装置、又は標準プログラミング技術及び／又はエンジニアリング技術を使用する製造の文書として与えられることができる。本明細書中に使用されるように、用語「製造の文書」は、コンピュータ読取り可能なデバイス、キャリア又は媒体からアクセス可能なコンピュータ・プログラムを含むように意図されている。例えば、コンピュータ読取り可能な媒体は、磁気記憶デバイス（例えば、ハード・ディスク、フロッピ（登録商標）ディスク、磁気テープ．．．）、光学ディスク（例えば、コンパクト・ディスク（ＣＤ：compact disk）、ディジタル・バーサタイル・ディスク（ＤＶＤ：digital versatile disk）．．．）、スマート・カード、及びフラッシュ・メモリ・デバイス（例えば、カード、スティック、キー・ドライブ．．．）を含むことができるが、限定されることはない。それに加えて、本明細書中で記述される様々な記憶媒体は、情報を記憶するための１又はそれより多くのデバイス及び／又は他の機械読取り可能な媒体を表すことができる。用語「機械読取り可能な媒体」は、無線チャネル及び（複数の）命令及び／又はデータを記憶すること、収容すること、及び／又は搬送することが可能な様々な別の媒体を含むことが可能であり、これらに限定されることはない。
【００１８】
その上、語「具体例の」は、例、事例、又は例示として働くことを意味するように本明細書中では使用される。「具体例の」として本明細書中に記載されたいずれかの態様又は設計が、別の態様又は設計に対して好ましい又は優位であるとして解釈される必要はない。むしろ、語「具体例の」の使用は、具体的な様式で概念を表現するように意図されている。本明細書で使用されるように、用語「又は（or）」は、排他的「又は」よりはむしろ包括的「又は」を意味するように意図されている。すなわち、別のように具体的に示されない限り、又は前後関係から明らかでない限り、「ＸはＡ又はＢを採用する」は、自然な包括的な置き換えのいずれかを意味するように意図されている。すなわち、ＸがＡを採用する；ＸがＢを採用する；又はＸがＡとＢの両者を採用する場合には、「ＸはＡ又はＢを採用する」は、上記の事例のいずれかの下で満足される。それに加えて、本明細書及び添付した特許請求の範囲において使用されるように、冠詞「ａ」と「ａｎ」は、単数形に向けられるように具体的に示されない限り、又は前後関係から明らかでない限り、「１又はそれより多く」を意味するように一般的に解釈されるべきである。
【００１９】
本明細書中で使用されるように、「推測する（infer）」又は「推論（inference）」に関しての用語は、イベント（event）及び／又はデータを介して取り込まれるような観測情報の集合から、システム、環境、及び／又はユーザの状態に関して議論すること又はそれを推論するプロセスを一般に呼ぶ。推論は、特定の前後関係又は動作を識別するために利用されることができる、又は、例えば、状態全体にわたる確率分布を生成することができる。推論は、確率論的−すなわち、データ及びイベントの考察に基づいて関心事の状態全体にわたる確率分布の計算−であり得る。推論は、しかも、イベント及び／又はデータの集合からより高いレベルのイベントを組み立てるために利用される技術も呼ぶことができる。複数のイベントが時間的に近接して相互に関係するか否かに拘わらず、そして複数のイベント及びデータが１又は複数のイベント及びデータ・ソースから来るかに拘わらず、そのような推論は、結果として、観測されたイベントの集合及び／又は記憶されたイベント・データの集合から新たなイベント又はアクション（action）の構築をもたらす。
【００２０】
本明細書中に記述される技術は、様々な無線通信ネットワーク、例えば、符号分割多元接続（ＣＤＭＡ：Code Division Multiple Access）ネットワーク、時分割多元接続（ＴＤＭＡ：Time Division Multiple Access）ネットワーク、周波数分割多元接続（ＦＤＭＡ：Frequency Division Multiple Access）ネットワーク、直交ＦＤＭＡ（ＯＦＤＭＡ： Orthogonal FDMA）ネットワーク、単一キャリアＦＤＭＡ（ＳＣ−ＦＤＭＡ：single-carrier FDMA）ネットワーク、等、に対して使用されることができる。用語「ネットワーク」と「システム」は、多くの場合互換的に使用される。ＣＤＭＡネットワークは、ユニバーサル地上波無線接続（ＵＴＲＡ：Universal Terrestrial Radio Access）、ｃｄｍａ２０００、等、のような無線技術を与えることができる。ＵＴＲＡは、広帯域ＣＤＭＡ（Ｗ−ＣＤＭＡ：Wideband-CDMA）及び低チップ・レート（ＬＣＲ：Low Chip Rate）、を含む。ｃｄｍａ２０００は、ＩＳ−２０００規格、ＩＳ−９５規格、及びＩＳ−８５６規格、を含む。ＴＤＭＡネットワークは、移動体通信のためのグローバル・システム（ＧＳＭ（登録商標）：Global System for Mobile Communications）のような無線技術を与えることができる。ＯＦＤＭＡネットワークは、イボルブド（発展）−ＵＴＲＡ（Ｅ−ＵＴＲＡ：Evolved-UTRA）、ＩＥＥＥ８０２．１１，ＩＥＥＥ８０２．１６，ＩＥＥＥ８０２．２０，フラッシュＯＦＤＭ（登録商標）、等、のような無線技術を与えることができる。ＵＴＲＡ，Ｅ−ＵＴＲＡ，及びＧＳＭは、ユニバーサル移動電気通信システム（ＵＭＴＳ：Universal Mobile Telecommunications System）の一部である。ロング・ターム・エボルーション（ＬＴＥ：Long Term Evolution）は、Ｅ−ＵＴＲＡを使用するＵＭＴＳの近く公開されるリリースである。ＵＴＲＡ，Ｅ−ＵＴＲＡ，ＧＳＭ，ＵＭＴＳ及びＬＴＥは、「第３世代パートナーシップ・プロジェクト」（３ＧＰＰ：3rd Generation Partnership Project）という名前の組織からの文書に記載されている。ｃｄｍａ２０００は、「第３世代パートナーシップ・プロジェクト２」（３ＧＰＰ２）という名前の組織からの文書に記載されている。これらの様々な無線技術及び規格は、この分野において公知である。明確化のために、本技術のある態様は、ＬＴＥにおけるアップリンク送信に関して下記に説明され、そして３ＧＰＰ用語が、下記の説明の多くにおいて使用される。
【００２１】
単一キャリア周波数分割多元接続（ＳＣ−ＦＤＭＡ）は、単一キャリア変調及び周波数ドメイン等化を利用する技術である。ＳＣ−ＦＤＭＡは、ＯＦＤＭＡシステムの性能と類似の性能、及びＯＦＤＭＡシステムの複雑性と本質的に同じ総合的な複雑性を有する。ＳＣ−ＦＤＭＡ信号は、自身が元来持っている単一キャリア構造のために低いピーク対平均出力比（ＰＡＰＲ：peak-to-average power ratio）を有する。ＳＣ−ＦＤＭＡは、特に、低いＰＡＰＲが送信出力効率の観点で移動端末に大きな利益をもたらすアップリンク通信において、大きな注目を引いている。それは、３ＧＰＰロング・ターム・エボルーション（ＬＴＥ）又はイボルブド−ＵＴＲＡにおけるアップリンク・アクセス方式に関する現在の実際的な前提である。
【００２２】
ＬＴＥは、ダウンリンクにおいて直交周波数分割多重化（ＯＦＤＭ）を利用し、そしてアップリンクにおいて単一キャリア周波数分割多重化（ＳＣ−ＦＤＭ）を利用する。ＯＦＤＭ及びＳＣ−ＦＤＭは、システム帯域幅を複数の（Ｎ個の）直交サブキャリアへと区分し、そのサブキャリアは、しかも、一般的にトーン、ビン、等、とも呼ばれる。各サブキャリアは、データとともに変調されることができる。一般に、変調シンボルは、ＯＦＤＭを用いて周波数ドメインにおいて送られ、そしてＳＣ−ＦＤＭを用いて時間ドメインにおいて送られる。ＬＴＥに関して、隣接する複数のサブキャリア間の間隔は、固定であり得て、そしてサブキャリアの総数（Ｎ）は、システム帯域幅に依存することがある。１つの設計では、５ＭＨｚのシステム帯域幅に対してＮ＝５１２であり、１０ＭＨｚのシステム帯域幅に対してＮ＝１０２４であり、２０ＭＨｚのシステム帯域幅に対してＮ＝２０４８である。一般に、Ｎは任意の整数値であり得る。
【００２３】
図１は、１又はそれより多くの態様とともに使用されることができるような、複数の基地局１１０及び複数の端末１２０を有する無線通信システム１００を例示する。基地局は、一般に複数の端末と通信する固定局であり、そして同様にアクセス・ポイント、ノードＢ、又はある別の用語で呼ばれることがある。各基地局１１０は、１０２ａ，１０２ｂ，及び１０２ｃと名付けられた３つの地理的領域として図示された、固有の地理的領域に対して通信可能範囲を提供する。用語「セル」は、その用語が使用される前後関係に応じて基地局及び／又はその通信可能領域を呼ぶことができる。システム能力を向上させるために、基地局通信可能領域は、複数のより小さな領域、（例えば、図１のセル１０２ａによれば、３つの小さな領域）１０４ａ，１０４ｂ，及び１０４ｃへと区分されることがある。各小領域は、それぞれの基地トランシーバ・サブシステム（ＢＴＳ：base transceiver subsystem）により取り扱われることができる。用語「セクタ」は、その用語が使用される前後関係に応じてＢＴＳ及び／又はその通信可能領域を呼ぶことがある。セクタ化されたセルに関して、そのセルの全てのセクタに対するＢＴＳは、一般的に、そのセルに関する基地局内で同じ場所に配置される。本明細書中に記述される送信技術は、セクタ化されたセルを有するシステムに対して、同様にセクタ化されていないセルを有するシステムに対して使用されることができる。簡単のために、下記の説明において、用語「基地局」は、セクタを取り扱う固定局、同様にセルを取り扱う固定局に対して、総括的に使用される。
【００２４】
端末１２０は、一般的にシステム全体にわたり分散され、そして各端末は、固定である又は移動可能であり得る。端末は、同様に、移動局、ユーザ装置、ユーザ・デバイス、又はある別の用語で呼ばれることがある。端末は、無線デバイス、セルラ電話機、個人ディジタル補助装置（ＰＤＡ：personal digital assistant）、無線モデム・カード、及びその他であり得る。各端末１２０は、任意の所与の瞬間においてダウンリンク又はアップリンクにおいてゼロの、１の、又は複数の基地局と通信することができる。ダウンリンク（すなわち、順方向リンク）は、基地局から端末への通信リンクを呼び、そしてアップリンク（すなわち、逆方向リンク）は、端末から基地局への通信リンクを呼ぶ。
【００２５】
中央集中型のアーキテクチャに関して、システム・コントローラ１３０は、複数の基地局１１０に接続し、そして基地局１１０のための調整及び制御を提供する。分散型のアーキテクチャに関して、複数の基地局１１０は、必要に応じて互いに通信することができる。順方向リンク上のデータ送信は、順方向リンク及び／又は通信システムによりサポートされることが可能である最大データ・レートで、又はその近くで１つのアクセス・ポイントから１つのアクセス端末へ生じる。順方向リンクの補助のチャネル（例えば、制御チャネル）は、複数のアクセス・ポイントから１つのアクセス端末へ送信されることができる。逆方向リンク・データ通信は、１つのアクセス端末から１又はそれより多くのアクセス・ポイントへと生じることができる。
【００２６】
図２は、様々な態様にしたがった、特別の（ad-hoc）又は計画されていない／部分的に計画された無線通信環境２００の例示である。システム２００は、１又はそれより多くのセクタ中に１又はそれより多くの基地局２０２を具備することが可能であり、それは、互いに及び／又は１又はそれより多くの移動デバイス２０４への無線通信信号を受信する、送信する、繰り返す、等、を行うことができる。例示されたように、各基地局２０２は、２０６ａ，２０６ｂ，２０６ｃ及び２０６ｄと名付けられた４つの地理的領域として例示された、固有の地理的領域に対する通信可能範囲を提供することができる。各基地局２０２は、送信機チェーン及び受信機チェーンを備えることができ、そのそれぞれは、当業者により認識されるように、信号送信及び受信に関係する複数の構成要素（例えば、プロセッサ、変調器、マルチプレクサ、復調器、デマルチプレクサ、アンテナ、及びその他）を順に備えることができる。移動デバイス２０４は、例えば、セルラ電話機、スマート・フォン、ラップトップ、手持サイズの通信デバイス、手持サイズの計算デバイス、衛星無線機、グローバル・ポジショニング・システム、ＰＤＡ、及び／又は無線ネットワーク２００を介して通信するための他の適したデバイス、であり得る。システム２００は、順応性のあるパイロット・パターンのために本明細書中に記述される様々な態様とともに利用されることが可能である。
【００２７】
本明細書中に記述される技術は、様々な無線通信システム、例えば、ＣＤＭＡシステム、ＴＤＭＡシステム、ＦＤＭＡシステム、ＯＦＤＭＡシステム、及びＳＣ−ＦＤＭＡシステム、に対して使用されることができる。用語「システム」と「ネットワーク」は、多くの場合互換的に使用される。ＣＤＭＡシステムは、ユニバーサル地上波無線接続（ＵＴＲＡ）、ｃｄｍａ２０００、等、のような無線技術を実装することができる。ＵＴＲＡは、広帯域ＣＤＭＡ（Ｗ−ＣＤＭＡ）及び低チップ・レート（ＬＣＲ）、を含む。ｃｄｍａ２０００は、ＩＳ−２０００規格、ＩＳ−９５規格、及びＩＳ−８５６規格、をカバーする。ＴＤＭＡシステムは、移動体通信のためのグローバル・システム（ＧＳＭ）のような無線技術を与えることができる。ＯＦＤＭＡシステムは、イボルブドＵＴＲＡ（Ｅ−ＵＴＲＡ）、ＩＥＥＥ８０２．１１，ＩＥＥＥ８０２．１６，ＩＥＥＥ８０２．２０，フラッシュＯＦＤＭ（登録商標）、等、のような無線技術を実装することができる。これらの様々な無線技術及び規格は、本分野において公知である。ＵＴＲＡ，Ｅ−ＵＴＲＡ，及びＧＳＭは、ユニバーサル移動体電気通信システム（ＵＭＴＳ）の一部である。ロング・ターム・エボルーション（ＬＴＥ）は、Ｅ−ＵＴＲＡを使用するＵＭＴＳの近く公開されるリリースである。ＵＴＲＡ，Ｅ−ＵＴＲＡ，ＧＳＭ，ＵＭＴＳ及びＬＴＥは、「第３世代パートナーシップ・プロジェクト」（３ＧＰＰ）という名前の組織からの文書に記載されている。ｃｄｍａ２０００は、「第３世代パートナーシップ・プロジェクト２」（３ＧＰＰ２）という名前の組織からの文書に記載されている。明確化のために、本技術のある態様は、ＬＴＥにおけるアップリンク送信に関して下記に説明され、そして３ＧＰＰ用語が、下記の説明の多くにおいて使用される。
【００２８】
ＬＴＥは、ダウンリンクにおいて直交周波数分割多重化（ＯＦＤＭ）を利用し、そしてアップリンクにおいて単一キャリア周波数分割多重化（ＳＣ−ＦＤＭ）を利用する。ＯＦＤＭ及びＳＣ−ＦＤＭは、システム帯域幅を複数の（Ｎ個の）直交サブキャリアへと区分し、そのサブキャリアは、しかも、一般的にトーン、ビン、等、とも呼ばれる。各サブキャリアは、データとともに変調されることができる。一般に、変調シンボルは、ＯＦＤＭを用いて周波数ドメインにおいて送られ、そしてＳＣ−ＦＤＭを用いて時間ドメインにおいて送られる。ＬＴＥに関して、隣接する複数のサブキャリア間の間隔は、固定であり得て、そしてサブキャリアの総数（Ｎ）は、システム帯域幅に依存することがある。１つの設計では、５ＭＨｚのシステム帯域幅に対してＮ＝５１２であり、１０ＭＨｚのシステム帯域幅に対してＮ＝１０２４であり、２０ＭＨｚのシステム帯域幅に対してＮ＝２０４８である。一般に、Ｎは任意の整数値であり得る。
【００２９】
システムは、周波数分割二重（ＦＤＤ：frequency division duplex）モード及び／又は時分割二重（ＴＤＤ：time division duplex）モードをサポートすることができる。ＦＤＤモードでは、別々の周波数チャネルがダウンリンクとアップリンクのために使用されることができ、そしてダウンリンク送信とアップリンク送信は、それらの別々の周波数チャネルにおいて同時に送られることができる。ＴＤＤモードでは、共通周波数チャネルが、ダウンリンクとアップリンクの両方のために使用されることができ、ダウンリンク送信は、ある時間ピリオドにおいて送られることができ、そしてアップリンク送信は、別の時間ピリオドにおいて送られることができる。
【００３０】
ＬＴＥダウンリンク送信方式は、無線フレーム（例えば、１０ｍｓ無線フレーム）により区分される。各フレームは、周波数（例えば、サブキャリア）及び時間（例えば、ＯＦＤＭシンボル）からなるパターンを備える。１０ｍｓ無線フレームは、複数の隣接する０．５ｍｓサブ−フレームへと区分される（しかも、サブ−フレーム又は時間スロットとも呼ばれ、そして以降互換的に使用される）。各サブ−フレームは、複数のリソース・ブロックを備える、ここにおいて、各リソース・ブロックは、１又はそれより多くのサブキャリア及び１又はそれより多くのＯＦＤＭシンボルからなる。１又はそれより多くのリソース・ブロックが、データ、制御情報、パイロット、又はこれらのいずれかの組み合わせの送信のために使用されることができる。
【００３１】
ハイブリッド自動再送信（ＨＡＲＱ）は、データ送信の信頼性を向上させるために採用される。例えば、大部分のシステムにおいて、ＨＡＲＱは、物理ダウンリンク共有チャネル（ＰＤＳＣＨ：physical downlink shared channel）又は物理アップリンク共有チャネル（ＰＵＳＣＨ：physical uplink shared channel）に対して採用されることができ、その両者は、共有データ・チャネル（ＳＤＣＨ：shared data channel）と簡単に呼ばれる、ここにおいて、データ・パケットは、受領通知チャネル（ＡＣＫＣＨ：acknowledgement channel）を使用してＵＥから送信されるＡＣＫ／ＮＡＫに基づいてＬ１において再送信される。ダウンリンクにおけるＨＡＲＱに関して、ノードＢは、パケットを送信することができ、そしてそのパケットがＵＥにより正しくデコードされるまで、又は再送信の最大回数が送られるまで、又はある別の終了条件になるまで、１又はそれより多くの再送信を送ることができる。
【００３２】
ＨＡＲＱプロセスは、あるパケットに関する全ての送信、及びもしあるならば再送信、を呼ぶことができる。ＨＡＲＱプロセスは、リソースが利用可能であるときに開始されることができ、そして最初の送信の後で又は引き続く１又はそれより多くの再送信の後で、終わらせることができる。ＨＡＲＱプロセスは、受信機におけるデコーディング結果に依存することがある可変の期間を有することができる。ＨＡＲＱプロセスは、あるシステム内で動作している１つのＵＥ又は複数のＵＥに対してであり得る。各ＨＡＲＱプロセスは、１つのＨＡＲＱインターレースにおいて送られることができる。１つの態様では、各ＨＡＲＱプロセスは、１つのＨＡＲＱインターレース（例えば、サブ−フレーム、スロット、リソース・ブロック、等）において送られることができる。
【００３３】
例えば、リソース及びデータが準備できているとき、ノードＢは、ＵＥへデータ・パケットを送信する。データ・パケットがＵＥにより受信される場合には、該データ・パケットが良好に処理されるのであれば、ＵＥはＡＣＫを送信することができる、又は該データ・パケットをデコーディングする際にエラーがあるならば、ＮＡＫを送ることができる。応答で、ＮＡＫが受信された場合、又はいずれかの受領通知を受信する前にタイマが時間切れになる場合には、ノードＢは、同じパケットを再送信することができる。
【００３４】
図３は、具体例の周波数パターン３００を図示する。一例によれば、全帯域３５０は、各セクタについて６個の副帯域（ＳＢ０−ＳＢ５）へと分割される。この例は、本システムにおける２つのセクタ、セクタ０とセクタ１、３１４と３１６、を例示する。同じ色（例えば、３１４すなわちＳＢ０の赤と３１６すなわちＳＢ０の赤）を有する副帯域は、同じ周波数プラニング（planning）を有する。６個の副帯域のうちの１つは、禁止副帯域を含み、そこではゼロ又は最小の（最小は事前設定されたしきい値より低くなるようにオペレータにより定められることができる）送信出力がトラフィックのために与えられ、その結果別のセクタ色への自身の干渉が最小にされる。この例では、ＳＢ５がセクタ０、３１４、に関する禁止副帯域として識別され、そしてＳＢ４がセクタ１、３１６、に関する禁止副帯域として識別される。
【００３５】
ＦＤＭＡ帯域システムにおいて、採用される２つのスケジューリング技術、すなわち、副帯域スケジューリングとダイバーシティ・スケジューリング、があり得る。副帯域スケジューリングは、連続する狭い帯域における周波数占有率を制限して、無線チャネルによる周波数選択性を利用する、そしてそれゆえ周波数選択的スケジューリング（ＦＳＳ：frequency selective scheduling）としても知られている。他方で、ダイバーシティ・スケジューリングは、大きな非連続帯域へ占有を拡張して、高速チャネル・フィードバックが利用可能でない又は保証されないときにチャネル・ダイバーシティ及び干渉ダイバーシティの両者を実現し、そしてそれゆえ周波数ダイバーシティ・スケジューリング（ＦＤＳ： frequency diversity scheduling）としても知られている。それは多くの場合、同じ全体の利用可能な周波数帯域幅内でＦＳＳ及びＦＤＳを多重化するために必要になる。
【００３６】
図４は、ＦＳＳ及びＦＤＳ（同様に、ＦＨＳとも呼ばれる）を備えるＦＤＭＡに基づくシステム４００の一例を図示する。これは一例であり、そして複数の組み合わせが動的に又は静的に採用されることができることが、注目されるはずである。図４に示したように、全帯域４５０は、６個の副帯域へと分割され、そして各セクタにおいて５個の禁止されていない副帯域のうちのあるものは、ＦＳＳのために使用されることが可能であり、一方で他のものはＦＤＳのために使用されることが可能である。例によれば、セクタ０，４１４の副帯域４０２，４０４と４１０は、ＦＳＳのために指定され、そしてセクタ１，４１６の副帯域４５２，４５６と４６２は、ＦＳＳとして指定される。セクタ０，４１４の副帯域４０６と４０８は、ＦＤＳのために指定され、そしてセクタ１，４１６の副帯域４５４と４５８は、ＦＤＳとして指定される。セクタ０，４１４の副帯域ＳＢ５，４１２とセクタ１，４１６の副帯域ＳＢ４，４６０は、禁止として指定される。送信時間インターバル（ＴＴＩ：transmission time interval）の範囲内で、ホッピングは、ＦＤＳ副帯域内では副帯域レベル当たりで、そして各副帯域内ではリソース・ブロック・レベル（１つの副帯域が複数のリソース・ブロックを含む）当たりで又はトーン・レベル当たりでさえ行われることが可能である。
【００３７】
図５は、複数のＨＡＲＱプロセス５００にわたる周波数ホッピングを例示する。図５に示したように、全帯域５５０は、６個の副帯域へと分割され、そして各セクタにおいて５個の禁止されていない副帯域のうちのあるものは、ＦＳＳのために使用されることが可能であり、一方で他のものはＦＤＳのために使用されることが可能である。例示されるように、周波数ホッピングは、同様にＨＡＲＱプロセス・レベル当たりで行われることが可能であり、その結果、各インスタンスの副帯域５０２−５１０の位置は、異なるＨＡＲＱインスタンス５１４−５２４にわたり展開することができる。この例では、このケースにおける禁止副帯域（各ＨＡＲＱインスタンスに対してＳＢ５，５１２）は、周波数ホッピングに関係していない。これは、ＦＦＲにおける静的な周波数プラニングのためである。これは、この副帯域がこのセクタにより決して使用されないことにおいてある種の非効率性を引き起こすことがあり、そしてそれゆえ、この副帯域により提供される追加の周波数選択性は、利用されない。
【００３８】
図６は、ＨＡＲＱプロセスのための周波数ホッピング・パターン６００を例示する。図６に示したように、全帯域６５０は、６個の副帯域へと分割され、そして各セクタにおいて５個の禁止されていない副帯域のうちのあるものは、ＦＳＳのために使用されることが可能であり、一方で他のものはＦＤＳのために使用されることが可能である。例示されるように、周波数ホッピングは、同様にＨＡＲＱプロセス・レベル当たりで行われることが可能であり、その結果、各インスタンスの副帯域６０２−６１２の位置は、禁止副帯域を含んでいる異なるＨＡＲＱインスタンス６１４−６２４にわたり展開することができる。１つの態様によれば、セル内で禁止副帯域６７０を動的に再配置するために、再配置は、異なるセクタにわたり同期させて行われ、その結果、ＦＦＲ周波数プラニングは、任意の所与の時間において維持される。これは、横切ること（cross-section）を使用するパターンを説明している。禁止副帯域を同期させて再配置することにより、禁止副帯域は、物理的には固定されないが、時間とともに展開し、そして全周波数帯域に広がることができる。これは、特にＦＳＳに対して役立つ、そこでは周波数選択性が全周波数帯域にわたり利用されることが可能である。禁止副帯域の再配置は、セルの全てのセクタにわたり均一である必要はない。トラフィック状態及びチャネル状態に依存して、複数のセクタは、禁止副帯域を再配置できないことがある。しかも、禁止副帯域のサイズは、同様に全てのセルにわたり同じでないことがあり、そして事前に決められた周波数プランに基づいてセクタ間で変わることがある。それに加えて、一般的に、ＵＥは、ＦＦＲ方式にトランスペアレント（transparent）であり、そして禁止副帯域の位置を必ずしも知る必要がない。上記に例示されたような仮想（virtual）禁止副帯域方式は、ＵＥに対してＦＦＲ動作をよりトランスペアレントにさえすることがあり、それにより周波数ダイバーシティを最大化しそして干渉を削減する。そのように、ＦＦＲ方式と組み合わせて周波数ホッピング方式は、ＦＦＲにおける物理的な禁止副帯域を仮想的禁止副帯域へと変換し、そしてさらなる周波数選択性を提供する。
【００３９】
図７を参照して、１つの方法は、１つの態様にしたがった周波数ホッピング・パターンを生成するためのメカニズムに関連する。説明の簡潔さの目的のために、本方法は、一連の動作として示されそして説明されるが、権利を主張する主題にしたがって、ある複数の動作が本明細書中に示されそして説明されるものとは異なる順番で及び／又は別の動作と同時に起きることがあるので、本方法は、動作の順番により限定されないことが、理解されそして認識されるはずである。例えば、方法は、状態図のような一連の相互に関係する状態又はイベントとして代わりに表わされることがあることを、当業者は理解しそして認識するであろう。その上、全ての例示された動作が、権利を主張する主題にしたがって、方法を与えるために必ずしも必要でないことがある。
【００４０】
具体的に図７に戻って、１つの態様にしたがって無線通信システムにおいて周波数ホッピング・パターンを生成することを容易にする一例の方法７００が、例示される。方法は、７０２において始まり、本方法は、周波数の一部を複数の副帯域、例えば、図６の６０２−６１２、へと分割する。７０４において本方法は、時間の一部を複数のセクタへと分割し、各セクタは、分割された副帯域、例えば、図６の６１４−６２４、を含む。７０６において本方法は、セクタのそれぞれについて分割された副帯域のうちの１つを禁止副帯域として指定する。７０８において本方法は、第１セクタに対して禁止副帯域の位置を割り当てる。７１０において本方法は、１又はそれより多くの副帯域を禁止されていない副帯域として指定する。７１２において本方法は、周波数選択的スケジューリングのために該セクタの禁止されていない副帯域のうちの１又はそれより多くを指定する。７１４において本方法は、周波数ダイバーシティ・スケジューリングのために該セクタの禁止されていない副帯域のうちの１又はそれより多くを指定する。７１６において本方法は、各セクタに関する禁止副帯域を同期させて動的に再配置する。一旦、周波数マップが生成されると、スケジューラは、周波数マップに関する情報を自身が取り扱う全てのＵＥへ送信することができる。
【００４１】
図８は、１又はそれより多くの態様にしたがって、通信ネットワークへのフィードバックを与えることが可能な具体例のアクセス端末８００を図示する。アクセス端末８００は、信号を受信し、受信した信号に（例えば、フィルタリングし、増幅し、ダウンコンバートする、等の）一般的な動作を実行する受信機８０２（例えば、アンテナ）を具備する。具体的に、受信機８０２は、しかも、送信割り当て期間の１又はそれより多くのブロックに配分されたサービスを定めるサービス・スケジュール、本明細書中に記述されるようなフィードバック情報を提供するために、ダウンリンク・リソースのブロックをアップリンク・リソースのブロックと関連付けるスケジュール、又はその他、を受信することが可能である。受信機８０２は、受信したシンボルを復調し、そして評価のためにプロセッサ８０６にそれらを与えることが可能である復調器８０４を具備することができる。プロセッサ８０６は、受信機８０２によって受信された情報を解析すること、及び／又は送信機８１６による送信のための情報を生成することに専用のプロセッサであり得る。それに加えて、プロセッサ８０６は、アクセス端末８００の１又はそれより多くの構成要素を制御するプロセッサ、及び／又は受信機８０２により受信された情報を解析し、送信機８１６による送信のための情報を生成し、そしてアクセス端末８００の１又はそれより多くの構成要素を制御するプロセッサ、であり得る。それに加えて、プロセッサ８０６は、本明細書中に記述されるように、受信機８０２により受信したアップリンク・リソース及びダウンリンク・リソースの相互関係を解釈するため、受け取られないダウンリンク・ブロックを識別するため、又はそのような受け取られないブロック又は複数のブロックの信号を送ることに適したフィードバック・メッセージ、例えばビットマップ、を生成するための命令、若しくは、複数のアップリンク・リソースのうちの適切なアップリンク・リソースを判断するためにハッシュ関数（hush function）を解析するための命令、を実行することが可能である。
【００４２】
アクセス端末８００は、それに加えて、プロセッサ８０６に動作上で接続され、そして送信されようとしているデータ、受信したデータ、及びその他を記憶することができる、メモリ８０８を具備することが可能である。メモリ８０８は、ダウンリンク・リソース・スケジューリングに関連する情報、上記の物を評価するためのプロトコル、送信の受け取られなかった部分を識別するため、判読できない伝送を判断するため、アクセス・ポイントへフィードバック・メッセージを送信するためのプロトコル、及びその他、を記憶することが可能である。
【００４３】
本明細書中に記載されるデータ記憶装置（例えば、メモリ８０８）が、揮発性メモリ又は不揮発性メモリのいずれかであり得る、又は揮発性メモリ及び不揮発性メモリの両方を含むことができることが理解される。例示として、そして限定するのではなく、不揮発性メモリは、読み出し専用メモリ（ＲＯＭ：read only memory）、書き込み可能ＲＯＭ（ＰＲＯＭ：programmable ROM）、電気的書き込み可能ＲＯＭ（ＥＰＲＯＭ：electrically PROM）、電気的消去可能ＲＯＭ（ＥＥＰＲＯＭ：electrically erasable ROM）、又はフラッシュ・メモリ含むことができる。揮発性メモリは、ランダム・アクセス・メモリ（ＲＡＭ：random access memory）を含むことができ、それは外部キャッシュ・メモリとして動作する。例示としてそして限定するのではなく、ＲＡＭは、多くの形式で利用可能であり、例えば、シンクロナスＲＡＭ（ＳＲＡＭ：synchronous RAM）、ダイナミックＲＡＭ（ＤＲＡＭ：dynamic RAM）、シンクロナスＤＲＡＭ（ＳＤＲＡＭ：synchronous DRAM）、ダブル・データ・レートＳＤＲＡＭ（ＤＤＲ  ＳＤＲＡＭ：double data rate SDRAM）、エンハンストＳＤＲＡＭ（ＥＳＤＲＡＭ：enhanced SDRAM）、シンクリンクＤＲＡＭ（ＳＬＤＲＡＭ：Synchlink DRAM）、及びダイレクト・ランバスＲＡＭ（ＤＲＲＡＭ（登録商標）：direct Rambus RAM）である。主題のシステム及び方法のメモリ８０８は、これらのメモリ及び他の適したタイプのメモリを備えるように意図されているが、これらに限定されない。
【００４４】
受信機８０２は、多重通信アンテナ８１０にさらに動作上で接続され、それは（例えば、ビットマップ応答において複数のＮＡＣＫメッセージ又はＡＣＫメッセージを提供することを容易にするために）ダウンリンク送信リソースの１又はそれより多くの増設ブロックとアップリンク送信リソースのブロックとの間のスケジュールされた相互関係を受信することが可能である。多重通信プロセッサ８０６は、フィードバック・メッセージ内に多桁ビットマップを含むことが可能であり、それは第１のダウンリンク・ブロック及び１又はそれより多くの追加ダウンリンク・ブロックのそれぞれが、１つのアップリンク・リソースを介して、受信されたか又は受信されなかったどうかを指示するＡＣＫメッセージ又はＮＡＣＫメッセージを提供する。さらに、計算プロセッサ８１２は、フィードバック確率関数を受け取ることが可能であり、ここにおいて、本明細書中に記述されるように、ダウンリンク送信リソースのブロック、又はそれに関係するデータ、が受信されないのであれば、その関数は、フィードバック・メッセージがアクセス端末８００により与えられる確率を制限する。具体的に、複数のデバイスがデータの紛失を同時に報告する場合に、そのような確率関数は、干渉を低減するために利用されることが可能である。
【００４５】
アクセス端末８００は、変調器８１４及び送信機８１６をまだその上に具備し、該送信機は、例えば、基地局、アクセス・ポイント、別のアクセス端末、遠隔エージェント、等、に信号を送信する。プロセッサ８０６から分離されているように図示されているとはいえ、信号発生器８１０及びインディケータ評価器８１２がプロセッサ８０６の一部、又は複数のプロセッサ（図示されず）であり得ることが、認識されるはずである。
【００４６】
図９は、ＬＴＥネットワークに関する紛失送信データに関連するフィードバックの提供を容易にするシステム９００の図である。システム９００は、受信機９１０及び送信機９２４を有する基地局９０２（例えば、アクセス・ポイント．．．）を具備し、該受信機は、複数の受信アンテナ９０６を経由して１又はそれより多くの移動デバイス９０４から（複数の）信号を受信し、該送信機９２２は、送信アンテナ９０８を経由して１又はそれより多くの移動デバイス９０４へ送信する。受信機９１０は、受信アンテナ９０６から情報を受信することが可能であり、そして受け取ることができないデータ・パケット又は判読できないデータ・パケットに関連するフィードバック・データを受信する信号受取人（図示されず）をさらに具備することが可能である。それに加えて、受信機９１０は、受信した情報を復調する復調器９１２と動作上で関係づけられる。復調されたシンボルは、メモリ９１６に接続されているプロセッサ９１４により解析され、該メモリ９１６は、アップリンク・リソースとダウンリンク・リソースを関係づけることに関連する情報、ネットワークからの絶えず変化する関係及び／又は変化しない相互関係を提供することに関連する情報、同様に、（複数の）移動デバイス９０４（又は分散された基地局（図示されず））へ送信されようとしているデータ又はそこから受信したデータ、及び／又は本明細書中に記載された様々な動作及び機能を実行することに関連するいずれかの他の適している情報、を記憶する。
【００４７】
プロセッサ９１４は、関連付け（association）プロセッサ９１８にさらに接続され、それはマルチキャスト・サービス又はブロードキャスト・サービスのために、ダウンリンク送信リソースのブロックとアップリンク送信リソースのブロックとの間の割り当て期間のあいだの相互関係をスケジュールすることが可能である。それに加えて、関連付けプロセッサ９１８は、アップリンク送信リソースの１又はそれより多くの増設ブロックとダウンリンク送信リソースのブロックとの間の相互関係をさらにスケジュールすることが可能であり、ダウンリンク・リソースに関する複数のフィードバック・メッセージの受信を可能にする。その結果として、ダウンリンク・リソースに関連するフィードバック・メッセージの相対的な数は、決定されることが可能である。その上、関連付けプロセッサ９１８は、マルチキャスト・サービス又はブロードキャスト・サービスのために、ダウンリンク送信リソースの複数のブロックとアップリンク送信リソースとの間の相互関係をスケジュールすることが可能であり、その結果、フィードバック・メッセージ内に含まれる１つのビットマップは、ダウンリンク送信リソースの複数のブロックに関するＡＣＫ情報又はＮＡＣＫ情報を指示することが可能である。
【００４８】
関連付けプロセッサ９１８は、確率係数を生成する計算プロセッサ９２０に接続されることができ、確率係数は端末デバイスがフィードバック・メッセージを提供するであろう見込みを制限することが可能である。確率係数は、基地局９０２により利用されることが可能であって、複数の端末デバイスからのフィードバック干渉を削減することができる。それに加えて、計算プロセッサ９２０は、基地局９０２により送信されるハッシュ関数を生成することが可能であり、それはフィードバック・メッセージを提出する際に使用するために特定のアップリンク送信リソースを複数の端末のそれぞれに指示することが可能である。ハッシュ（hush）関数指示は、各端末デバイスのアクセス・クラス、各端末アイデンティティのハッシュ、各端末デバイスにより利用されるサービスのアイデンティティ、又はブロックに固有の情報、若しくはそれらの組み合わせ、に少なくとも一部は基づくことができる。
【００４９】
それに加えて、計算プロセッサ９２０は、ソーティング・プロセッサ９２１に接続されることができ、それはダウンリンク送信リソースのブロックに関連する受信したフィードバック・メッセージの数を決定することができる。例えば、ダウンリンク送信リソースのブロックが（例えば上記のように、関連付けプロセッサ９１８によって）複数のアップリンク送信リソースと接続されている場合には、２又はそれより多くのフィードバック・メッセージが、ダウンリンク・リソースのために基地局９０２により受信されることができる。ソーティング・プロセッサ９２１は、それゆえ、どのフィードバック・メッセージがダウンリンク・ブロックに対応するかを識別することができ、それはそのダウンリンク・ブロックに関する再送信優先順位を指示することが可能である。その上、ソーティング・プロセッサ９２１は、ダウンリンク送信リソースの各ブロックに関連する受信したフィードバック・メッセージの数に少なくとも一部は基づいて、再送信しているダウンリンク送信リソースの複数のブロックの中から選ぶことが可能である。
【００５０】
ここで図１０を参照して、ダウンリンク上で、アクセス・ポイント１００５において、送信（ＴＸ）データ・プロセッサ１０１０は、トラフィック・データを受信し、フォーマット化し、コード化し、インターリーブし、そして変調し（又はシンボル・マッピングし）、変調シンボル（「データ・シンボル」）を与える。シンボル変調器１０１５は、データ・シンボル及びパイロット・シンボルを受信しそして処理して、シンボルのストリームを与える。シンボル変調器１０１５は、データ・シンボルとパイロット・シンボルを多重化し、そしてそれらを送信機ユニット（ＴＭＴＲ）１０２０に与える。各送信シンボルは、データ・シンボル、パイロット・シンボル、又はゼロの信号値であり得る。パイロット・シンボルは、各シンボル期間において連続的に送られることができる。パイロット・シンボルは、周波数分割多重化される（ＦＤＭ）、直交周波数分割多重化される（ＯＦＤＭ）、時分割多重化される（ＴＤＭ）、周波数分割多重化される（ＦＤＭ）、又は符号分割多重化される（ＣＤＭ）ことができる。
【００５１】
ＴＭＴＲ１０２０は、シンボルのストリームを受け取り、１又はそれより多くのアナログ信号へと変換し、そしてそのアナログ信号をさらに調整して（例えば、増幅し、フィルタリングし、そして周波数アップコンバートして）、無線チャネルを介した送信に適したダウンリンク信号を生成する。ダウンリンク信号は、その後、端末へアンテナ１０２５を経由して送信される。端末１０３０において、アンテナ１０３５は、ダウンリンク信号を受信し、そして受信機ユニット（ＲＣＶＲ）１０４０に受信した信号を与える。受信機ユニット１０４０は、その受信した信号を調整し（例えば、フィルタリングし、増幅し、そして周波数ダウンコンバートし）、そして調整した信号をディジタル化して、サンプルを取得する。シンボル復調器１０４５は、受信したパイロット・シンボルを復調し、そしてチャネル推定のためにプロセッサ１０５０に与える。シンボル復調器１０４５は、プロセッサ１０５０からダウンリンクに関する周波数応答推定値をさらに受け取り、受信したデータ・シンボルにデータ復調を実行して、（送信されたデータ・シンボルの推定値である）データ・シンボル推定値を取得し、そしてＲＸデータ・プロセッサ１０５５へそのデータ・シンボル推定値を与える、ＲＸデータ・プロセッサ１０５５は、データ・シンボル推定値を復調し（すなわち、シンボル逆マッピングし）、デインターリーブし、そしてデコードして、送信されたトラフィック・データを再生する。シンボル復調器１０４５及びＲＸデータ・プロセッサ１０５５による処理は、アクセス・ポイント１００５における、それぞれ、シンボル変調器１０１５とＴＸデータ・プロセッサ１０１０による処理に相補的である。
【００５２】
アップリンクにおいて、ＴＸデータ・プロセッサ１０６０は、トラフィック・データを処理し、そしてデータ・シンボルを与える。シンボル変調器１０６５は、データ・シンボルを受け取り、そしてパイロット・シンボルと多重化し、変調を実行し、そしてシンボルのストリームを与える。送信機ユニット１０７０は、次に、シンボルのストリームを受け取りそして処理して、アップリンク信号を生成する、それはアクセス・ポイント１００５へアンテナ１０３５により送信される。
【００５３】
アクセス・ポイント１００５において、端末１０３０からのアップリンク信号は、アンテナ１０２５により受信され、そして受信機ユニット１０７５により処理されて、サンプルを取得する。シンボル復調器１０８０は、その後、そのサンプルを処理し、そしてアップリンクに関する受信したパイロット・シンボル及びデータ・シンボル推定値を与える。ＲＸデータ・プロセッサ１０８５は、そのデータ・シンボル推定値を処理して、端末１０３０によって送信されたトラフィック・データを再生する。
【００５４】
プロセッサ１０９０は、アップリンクにおいて送信している各アクティブな端末に関するチャネル推定を実行する。複数の端末は、それぞれ割り当てられたパイロット副帯域の集合上でアップリンクにおいて同時にパイロットを送信することができる、ここで、パイロット副帯域の集合は、インターレースされることができる。
【００５５】
プロセッサ１０９０と１０５０は、それぞれ、アクセス・ポイント１００５及び端末１０３０における動作を監督する（例えば、制御する、調整する、管理する、等）。それぞれのプロセッサ１０９０と１０５０は、プログラム・コード及びデータを記憶するメモリ・ユニット（図示されず）と関係づけられることができる。プロセッサ１０９０と１０５０は、しかも、それぞれアップリンク及びダウンリンクに関する周波数推定値とインパルス応答推定値を導出するための計算を実行する。
【００５６】
多元接続システム（例えば、ＦＤＭＡ，ＯＦＤＭＡ，ＣＤＭＡ，ＴＤＭＡ，等）に関して、複数の端末は、アップリンクにおいて同時に送信することが可能である。そのようなシステムに関して、パイロット副帯域は、異なる端末の間で共有されることができる。チャネル推定技術は、各端末に対するパイロット副帯域が（おそらく帯域端を除いて）全動作帯域に広がるケースにおいて使用されることができる。そのようなパイロット副帯域構造は、各端末に対して周波数ダイバーシティを得るために望ましいはずである。本明細書中に記述された技術は、様々な手段により実装されることができる。例えば、これらの技術は、ハードウェア、ソフトウェア、又はそれらの組み合わせで実装されることができる。ディジタル又はアナログ又はディジタルとアナログの両者であり得るハードウェア実装のために、チャネル推定のために使用される処理ユニットは、１又はそれより多くの用途特定集積回路（ＡＳＩＣｓ：application specific integrated circuits）、ディジタル信号プロセッサ（ＤＳＰｓ：digital signal processors）、ディジタル信号処理デバイス（ＤＳＰＤｓ：digital signal processing devices）、プログラマブル論理デバイス（ＰＬＤｓ：programmable logic devices）、フィールド・プログラマブル・ゲートアレイ（ＦＰＧＡｓ：field programmable gate arrays）、プロセッサ、コントローラ、マイクロ−コントローラ、マイクロプロセッサ、本明細書中に説明した機能を実行するために設計された他の電子ユニット、若しくはこれらの組み合わせの中に実装されることができる。ソフトウェアを用いて、実装は、本明細書中に説明された機能を実行するモジュール（例えば、手順、機能、及びその他）を通してであり得る。ソフトウェア・コードは、メモリ・ユニット中に記憶されることができ、そしてプロセッサ１０９０と１０５０によって実行されることができる。
【００５７】
本明細書中に記述された実施形態は、ハードウェア、ソフトウェア、ファームウェア、ミドルウェア、マイクロコード、又はこれらの任意の組み合わせにより実装されることができる。ハードウェア実装に関して、処理ユニットは、１又はそれより多くの用途特定集積回路（ＡＳＩＣｓ）、ディジタル信号プロセッサ（ＤＳＰｓ）、ディジタル信号処理デバイス（ＤＳＰＤｓ）、プログラマブル論理デバイス（ＰＬＤｓ）、フィールド・プログラマブル・ゲートアレイ（ＦＰＧＡｓ）、プロセッサ、コントローラ、マイクロ−コントローラ、マイクロプロセッサ、本明細書中に説明した機能を実行するために設計された他の電子ユニット、若しくはこれらの組み合わせの中に実装されることができる。
【００５８】
実施形態が、ソフトウェア、ファームウェア、ミドルウェア、又はマイクロコード、プログラム・コード、又はコード・セグメントにおいて実装されるとき、プログラム・コード又はコード・セグメントは、記憶装置コンポーネントのような機械読み取り可能な媒体中に記憶されることができることが、理解されるはずである。コード・セグメントは、手順、機能、サブプログラム、プログラム、サブルーチン、モジュール、ソフトウェア・パッケージ、クラス、又は命令、データ構造、又はプログラム・ステートメントのうちの任意の組み合わせを、表すことができる。コード・セグメントは、情報、データ、アーギュメント（argument）、パラメータ、又はメモリ・コンテントを渡すことにより及び／又は受け取ることによりハードウェア回路又は別のコード・セグメントに接続されることができる。情報、アーギュメント、パラメータ、データ、等は、メモリ分割方式、メッセージ通過方式（passing）、トークン通過方式、及びネットワー伝送を含む任意の適当な手段を介して渡されるか、転送されるか、又は伝送されることができる。
【００５９】
ソフトウェア実装に関して、本明細書中に記述された技術は、本明細書中に記述された機能を実行するモジュール（例えば、手順、機能、及びその他）を用いて実装されることができる。ソフトウェア・コードは、メモリ・ユニット中に記憶されることができ、そしてプロセッサによって実行されることができる。メモリ・ユニットは、プロセッサの内部に、又はプロセッサの外部に実装されることができる。外部の場合には、この分野で公知の種々の手段を介してプロセッサに通信で接続されることが可能である。
【００６０】
ここで図１１を参照して、無線通信において周波数ホッピング・パターンを生成することを容易にするシステム１１００が、図示される。システム１１００は、周波数の一部を複数の副帯域へと分割するためのモジュール１１０２；時間の一部を複数のセクタへと分割するためのモジュール１１０４、各セクタは前記分割された副帯域を備える；セクタのそれぞれについて分割された副帯域のうちの１つを禁止副帯域として指定するためのモジュール１１０６；第１セクタに対する禁止副帯域の位置を割り当てるためのモジュール１１０８；該セクタに同期させて禁止副帯域を動的に再配置するためのモジュール１１１０；禁止されていない副帯域として１又はそれより多くの副帯域を指定するためのモジュール１１１２；周波数選択的スケジューリングのために該セクタの禁止されていない副帯域のうちの１又はそれより多くを指定するためのモジュール１１１４；周波数ダイバーシティ・スケジューリングのために該セクタの禁止されていない副帯域のうちの１又はそれより多くを指定するためのモジュール１１１６、を含むことができる。モジュール１１０２−１１１６は、プロセッサ又は任意の電子デバイスであり得て、そしてメモリ・モジュール１１１８に接続されることができる。
【００６１】
上記に説明されたものは、１又はそれより多くの態様の例を含む。前述の複数の態様を記述する目的のために、構成要素又は方法の全ての考え得る組み合わせを記載することは、当然ながら不可能であるが、様々な態様の多くのさらなる組み合わせ及び並べ替えが可能であることを、当業者は、理解することができる。したがって、記述された態様は、添付された特許請求の範囲のスコープの範囲内になる、全てのそのような代替物、修正、及び変形を含むように意図されている。その上、用語「含む（include）」が詳細な説明又は特許請求の範囲のいずれかにおいて使用される限りは、「具備する（comprising）」が特許請求の範囲においてつなぎの語として利用されるときに解釈されるように、そのような用語は、用語「具備する」と同様に、ある意味で包括的であるように意図されている。
以下に、本願出願の当初の特許請求の範囲に記載された発明を付記する。
［Ｃ１］無線通信において実行可能な方法、前記方法は、
周波数の一部を複数の副帯域へと分割すること；
時間の一部を複数のセクタへと分割すること、各セクタは前記分割された副帯域を備える；
前記セクタのうちの１つの中で前記分割された副帯域のうちの１つを禁止副帯域として指定すること；及び
禁止副帯域として前記指定された副帯域の位置を割り当てること、
を具備する方法。
［Ｃ２］１又はそれより多くの引き続くセクタの副帯域に同期させて前記禁止副帯域を動的に再配置すること、をさらに具備する、Ｃ１の方法。
［Ｃ３］前記セクタのそれぞれについて前記分割された副帯域のうちの１つを禁止副帯域として指定することは、送信出力が与えられず、そして前記禁止帯域のサイズが変化する副帯域を指定することから成り立つ、Ｃ２の方法。
［Ｃ４］前記セクタのそれぞれについて前記分割された副帯域のうちの１つを禁止副帯域として指定することは、しきい値より低い送信出力だけが与えられる副帯域を指定することから成り立つ、Ｃ２の方法。
［Ｃ５］前記セクタのそれぞれについて１又はそれより多くの前記副帯域を禁止されていない副帯域として指定すること、をさらに具備する、Ｃ１の方法。
［Ｃ６］周波数選択的スケジューリングのために、前記セクタの前記禁止されていない副帯域のうちの１又はそれより多くを指定すること、をさらに具備する、Ｃ５の方法。
［Ｃ７］周波数ダイバーシティ・スケジューリングのために、前記セクタの前記禁止されていない副帯域のうちの１又はそれより多くを指定すること、をさらに具備する、Ｃ５の方法。
［Ｃ８］前記セクタのそれぞれについて１又はそれより多くの前記副帯域を禁止されていない副帯域として指定すること、をさらに具備する、Ｃ２の方法。
［Ｃ９］周波数選択的スケジューリングのために、前記セクタの前記禁止されていない副帯域のうちの１又はそれより多くを指定すること、をさらに具備する、Ｃ８の方法。
［Ｃ１０］周波数ダイバーシティ・スケジューリングのために、前記セクタの前記禁止されていない副帯域のうちの１又はそれより多くを指定すること、をさらに具備する、Ｃ８の方法。
［Ｃ１１］前記禁止副帯域を再配置することは、前記引き続くセクタの前記禁止副帯域に対して異なるサイズを使用することを具備する、Ｃ２の方法。
［Ｃ１２］ 無線通信において動作可能な装置、前記装置は、
周波数の一部を複数の副帯域へと分割するための手段；
時間の一部を複数のセクタへと分割するための手段、各セクタは前記分割された副帯域を備える；
前記セクタのうちの１つの中で前記分割された副帯域のうちの１つを禁止副帯域として指定するための手段；及び
禁止副帯域として前記指定された副帯域の位置を割り当てるための手段、
を具備する装置。
［Ｃ１３］１又はそれより多くの引き続くセクタの副帯域に同期させて前記禁止副帯域を動的に再配置するための手段、をさらに具備する、Ｃ１２の装置。
［Ｃ１４］前記セクタのそれぞれについて前記分割された副帯域のうちの１つを禁止副帯域として指定するための手段は、送信出力が与えられない副帯域を指定するための手段を具備する、Ｃ１３の装置。
［Ｃ１５］前記セクタのそれぞれについて前記分割された副帯域のうちの１つを禁止副帯域として指定するための手段は、しきい値より低い送信出力だけが与えられる副帯域を指定するための手段を具備する、Ｃ１３の装置。
［Ｃ１６］前記セクタのそれぞれについて１又はそれより多くの前記副帯域を禁止されていない副帯域として指定するための手段、をさらに具備する、Ｃ１２の装置。
［Ｃ１７］周波数選択的スケジューリングのために、前記セクタの前記禁止されていない副帯域のうちの１又はそれより多くを指定するための手段、をさらに具備する、Ｃ１６の装置。
［Ｃ１８］周波数ダイバーシティ・スケジューリングのために、前記セクタの前記禁止されていない副帯域のうちの１又はそれより多くを指定するための手段、をさらに具備する、Ｃ１６の装置。
［Ｃ１９］前記セクタのそれぞれについて１又はそれより多くの前記副帯域を禁止されていない副帯域として指定するための手段、をさらに具備する、Ｃ１３の装置。
［Ｃ２０］周波数選択的スケジューリングのために、前記セクタの前記禁止されていない副帯域のうちの１又はそれより多くを指定するための手段、をさらに具備する、Ｃ１９の装置。
［Ｃ２１］周波数ダイバーシティ・スケジューリングのために、前記セクタの前記禁止されていない副帯域のうちの１又はそれより多くを指定するための手段、をさらに具備する、Ｃ１９の装置。
［Ｃ２２］前記禁止副帯域のサイズは、セクタ毎に変化する、Ｃ１３の装置。
［Ｃ２３］コンピュータ読取り可能な媒体を具備するコンピュータ・プログラム製品、前記コンピュータ読取り可能な媒体は、
周波数の一部を複数の副帯域へと分割するためのコード；
時間の一部を複数のセクタへと分割するためのコード、各セクタは前記分割された副帯域を備える；
前記セクタのうちの１つの中で前記分割された副帯域のうちの１つを禁止副帯域として指定するためのコード；及び
禁止副帯域として前記指定された副帯域の位置を割り当てるためのコード、
を具備するコンピュータ読取り可能な媒体である、コンピュータ・プログラム製品。
［Ｃ２４］前記コンピュータ読取り可能な媒体は、１又はそれより多くの引き続くセクタの副帯域に同期させて前記禁止副帯域を動的に再配置するためのコード、をさらに具備する、Ｃ２３のコンピュータ・プログラム製品。
［Ｃ２５］前記コンピュータ読取り可能な媒体は、前記セクタのそれぞれについて１又はそれより多くの前記副帯域を禁止されていない副帯域として指定するためのコード、をさらに具備する、Ｃ２４のコンピュータ・プログラム製品。
［Ｃ２６］前記コンピュータ読取り可能な媒体は、周波数選択的スケジューリングのために、前記セクタの前記禁止されていない副帯域のうちの１又はそれより多くを指定するためのコード、をさらに具備する、Ｃ２５のコンピュータ・プログラム製品。
［Ｃ２７］前記コンピュータ読取り可能な媒体は、周波数ダイバーシティ・スケジューリングのために、前記セクタの前記禁止されていない副帯域のうちの１又はそれより多くを指定するためのコード、をさらに具備する、Ｃ２５のコンピュータ・プログラム製品。
［Ｃ２８］前記禁止副帯域のサイズは、前記引き続くセクタとは異なる、Ｃ２４のコンピュータ・プログラム製品。
［Ｃ２９］無線通信において動作可能な装置、前記装置は、
周波数の一部を複数の副帯域へと分割するように；
各セクタが前記分割された副帯域を備える複数のセクタへと、時間の一部を分割するように；
前記セクタのうちの１つの中で前記分割された副帯域のうちの１つを禁止副帯域として指定するように；及び
禁止副帯域として前記指定された副帯域の位置を割り当てるように、
構成された少なくとも１つのプロセッサ、
を具備する装置。
【図１】
0005722362.tif 000002
【図２】
0005722362.tif 000003
【図３】
0005722362.tif 000004
【図４】
0005722362.tif 000005
【図５】
0005722362.tif 000006
【図６】
0005722362.tif 000007
【図７】
0005722362.tif 000008
【図８】
0005722362.tif 000009
【図９】
0005722362.tif 000010
【図１０】
0005722362.tif 000011
【図１１】
0005722362.tif 000012